(57)【要約】【目的】  本発明は、餌を用いずにモグラの持つ習性を利用してモグラを捕獲するために餌の腐敗などの問題を生じずに長期間設置しておくことができ、簡単な構造であるために製造コストが安く、容易に設置することが可能なモグラ取り器に関する発明である。【構成】  本発明は、 円筒部と針部からなる捕獲部と、起立部とアームとＬ型部材からなる駆動部と、支持脚と第１支持板と第２支持板とからなる支持部と、駆動部の起立部に取り付けられた保持糸により保持されたストッパー及び捕獲部の円筒部に取り付けられた駆動ゴムから構成され、捕獲部の円筒部に形成したスリットに嵌め込まれたストッパーにより、針部が円筒部内に収納され、駆動部のアームが回動するとストッパーが引き外され、針部上端に引っ掛けられた駆動ゴムの力で針部が円筒部内から飛び出しモグラを捕獲することを特徴とするモグラ取り器の構成とした。【選択図】  図１
2005095010.tif 000002
【特許請求の範囲】
【請求項１】
円筒部と針部からなる捕獲部と、起立部とアームとＬ型部材からなる駆動部と、支持脚と第１支持板と第２支持板とからなる支持部と、前記駆動部の起立部に取り付けられた保持糸により保持されたストッパー及び前記捕獲部の円筒部に取り付けられた駆動ゴムからなり、前記捕獲部の円筒部に形成したスリットに嵌め込まれたストッパーにより、針部が円筒部内に収納され、前記駆動部のアームが回動するとストッパーが引き外され、針部上端に引っ掛けられた駆動ゴムの力で針部が円筒部内から飛び出しモグラを捕獲することを特徴とするモグラ取り器。
【請求項２】
起立部を一体化したＬ字型アームとＬ型部材からなる駆動部と、支持脚と水平板及び突出部を一体化した支持部と、前記支持部と一体化するように設けられた円筒部と針部からなる捕獲部と、前記駆動部のＬ字型アームを構成する起立部に取り付けられた保持糸により保持されたストッパー及び前記捕獲部の円筒部に取り付けられた駆動ゴムからなることを特徴とする請求項１に記載のモグラ取り器。
【請求項３】
３本の針を接続部材で接続し、円筒部に挿入した捕獲部と、起立部を一体化したＬ字型アームとＬ型部材からなる駆動部と、駆動部支持部材及び捕獲部支持部材からなる支持部と、駆動部のＬ字型アームを構成する起立部に取り付けられた保持糸により保持されたストッパー及び捕獲部支持部材に取り付けられた駆動ゴムから構成されることを特徴とするモグラ取り器。
【発明の詳細な説明】
【技術分野】
【０００１】
本発明は、農地や家庭の庭などを荒らすモグラを捕獲するためのモグラ取り器の改良に関する発明である。
【背景技術】
【０００２】
従来のモグラ取り器には、構造が複雑であるために製造コストが高いものや、円筒型で直接モグラの通路に埋め込んで使用する為に設置環境によっては効果を発揮しにくいもの等が多い。
【０００３】
そのため、本願出願人は極めて簡単な構造であるために製造コストが安く、モグラの通路の側面から容易に取り付けることができるために設置作業の効率が良く、餌でモグラを誘引することでモグラの捕獲率を上げることができるモグラ取り器を提供することを目的として、特開２００３−１８０２２７号の公開特許公報に記載の「モグラ取り器」を改良発明した。
【０００４】
しかしながら、餌でモグラを誘引するためには、モグラの好む餌でなければ効果が上がらないとともに、モグラ取り器に餌を入れて設置した後、モグラを捕獲するまでに数日が経過してしまうと、こまめに餌を取り替えないと餌が腐敗するなどして異臭を放ち、余計にモグラが寄りつきにくくなる可能性が考えられる。
【特許文献１】特開２００３−１８０２２７号公報
【発明の開示】
【発明が解決しようとする課題】
【０００５】
本発明は、餌を用いずにモグラの持つ習性を利用してモグラを捕獲するために餌の腐敗などの問題を生じずに長期間設置しておくことができ、簡単な構造であるために製造コストが安く、容易に設置することが可能なモグラ取り器を提供することを目的とするものである。
【課題を解決するための手段】
【０００６】
本発明は、上記の課題を解決するために、円筒部と針部からなる捕獲部と、起立部とアームとＬ型部材からなる駆動部と、支持脚と第１支持板と第２支持板とからなる支持部と、駆動部の起立部に取り付けられた保持糸により保持されたストッパー及び捕獲部の円筒部に取り付けられた駆動ゴムから構成され、捕獲部の円筒部に形成したスリットに嵌め込まれたストッパーにより、針部が円筒部内に収納され、駆動部のアームが回動するとストッパーが引き外され、針部上端に引っ掛けられた駆動ゴムの力で針部が円筒部内から飛び出しモグラを捕獲することを特徴とするモグラ取り器の構成とした。
【発明の効果】
【０００７】
本発明であるモグラ取り器は、餌を用いずに、モグラが本来から持っている習性を利用してモグラを捕獲するために、餌の腐敗等を気にすることなく、モグラを捕獲するまで長期間でも設置しておくことができる。
【０００８】
また、極めて容易な構造であるために、製造コストが安く、モグラの巣への設置も簡単である。
【実施例１】
【０００９】
以下に、添付図面に基づき、本発明であるモグラ取り器について詳細に説明する。図１は本発明であるモグラ取り器の正面図、図２は本発明であるモグラ取り器の左側面図、図３は本発明であるモグラ取り器の右側面図、図４は本発明であるモグラ取り器の平面図、図５は本発明であるモグラ取り器の背面図である。
【００１０】
図１から図５に示すように、本発明であるモグラ取り器１は、捕獲部２、駆動部３、支持部４から構成されている。図１に示すように、捕獲部２は支持部４に支持され、捕獲部２を連設した支持部４は駆動部３に連接している。
【００１１】
捕獲部２は、図１から図５に示すように、円筒部２ａと針部２ｅからなる。図２に示すように円筒部２ａの中央よりやや上の位置には横長の略長方形状のスリット２ｂが形成されている。前記スリット２ｂは、本発明であるモグラ取り器１を設置する際に、ストッパー５を嵌め込むためのものである。
【００１２】
円筒部２ａ内には針部２ｅが挿通されている。針部２ｅの全長は、円筒部２ａの全長よりも長く形成されている。針部２ｅは、針支持部２ｄと針２ｇから形成されており、針支持部２ｄの上端２ｃは、円筒部２ａの直径よりも大きな直径になるよう形成されている。これにより、針支持部２ｄの上端２ｃが円筒部２ａの上部に引っ掛かり、針部２ｅが円筒部２ａ内に入り込むことを防いでいる。
【００１３】
針支持部２ｄの直径は、円筒部２ａとほぼ同じ直径となっており、針支持部２ｄの下部に形成された針２ｇは、先に行くほど細く鋭利に形成されている。針支持部２ｄと針２ｇの境界には段差２ｆが形成されている。
【００１４】
捕獲部２は、支持部４に支持され接続されている。支持部４は、正面板４ｂと左側面板４ｇにより横断面形状がＬ字型に形成された支持脚４ａと、正面板４ｂの上部に地面と並行するように右方向に突出して接続された第１支持板４ｃと第１支持板４ｃに対して垂直に接続された第２支持板４ｄとからなる。
【００１５】
図１及び図５に示すように、第１支持板４ｃは、Ｌ字型の支持脚４ａを形成する正面板４ｂの上端にボルト７、７及びナット７ａ、７ａを用いて接続されている。同様に第２支持板４ｄも第１支持板４ｃの右端に上下が第１支持板４ｃから突出するようにしてボルト７、７及びナット７ａ、７ａを用いて接続されている。
【００１６】
図１及び図５に示すように、支持部４を形成する第２支持板４ｄの左端には、縦方向に３つの貫通孔４ｅ、４ｅ、４ｅが形成されている。前記貫通孔４ｅ、４ｅ、４ｅに支持糸４ｆを通し、捕獲部２の円筒部２ａの外周に支持糸４ｆを幾重にも巻き付けることで、第２支持板４ｄに捕獲部２を支持する。
【００１７】
図１から図５に示すように、駆動部３は起立部３ａとアーム３ｃがＬ字型を形成するようにボルト７、７及びナット７ａ、７ａで接続されている。駆動部３は起立部３ａとアーム３ｃとＬ型部材３ｇから構成され、調節部材３ｉ、３ｊが取り付けられている。
【００１８】
駆動部３の構成としては、起立部３ａの下部にアーム３ｃの左端を構成する平坦部３ｄが直角になるように、即ち起立部３ａとアーム３ｃが正面から見てＬ字を形成するようにボルト７、７及びナット７ａ、７ａで接続されている。
【００１９】
アーム３ｃは図４に示すように、左端部が平坦部３ｄとなっており、中央部が左方から右方へ向けて正面方向に広がるように傾斜した傾斜部３ｅとなり、右端部は平坦部３ｆとなっている。そして、アーム３ｃの右端部である平坦部３ｆには、Ｌ型部材３ｇが調節部材３ｊにより取り付けられている。
【００２０】
平坦部３ｆに取り付けられているＬ型部材３ｇは、図２及び図３に示すように、底面３ｈが地面と並行になるように正面方向に向かって突出した部材である。前記Ｌ型部材３ｇは、アーム３ｃの右端部を構成する平坦部３ｆの背面から挿入された係止ピン７ｂ及び調節部材３ｊにより平坦部３ｆに係止されている。
【００２１】
前記Ｌ型部材３ｇは、平坦部３ｆと密着しないように取り付けられている。即ち、平坦部３ｆの背面から係止ピン７ｂを挿入し、係止リング３ｋ、３ｋを挿通させ、Ｌ型部材３ｇを挿通させてＬ型部材３ｇの前面より調節部材３ｊをねじ込むことでＬ型部材３ｇと平坦部３ｆが密着せずに係止されている。
【００２２】
アーム３ｃは、支持部４の支持脚４ａの正面板４ｂに調節部材３ｉによって係止されている。図１及び図５に示すように、支持脚４ａの正面板４ｂの背面から挿入された係止ピン７ｂは、正面板４ｂを挿通し、アーム３ｃの左端部を構成する平坦部３ｄの背面から挿通され、平坦部３ｄの前面より調節部材３ｉをねじ込むことで、支持脚４ａの正面板４ｂとアーム３ｃの平坦部３ｄが密着して係止されている。
【００２３】
アーム３ｃの起立部３ａの上部に形成された貫通孔３ｂは、ストッパー５を保持するための保持糸５ａを取り付けるための孔である。図１及び図５に示すように、貫通孔３ｂに保持糸５ａを縛り付け、ストッパー５を保持する。ストッパー５は、上部が直角に形成されたカギ状の部材である。
【００２４】
図１から図５に示すように、捕獲部２の円筒部２ａのほぼ中心位置には、係止具６ｂが取り付けられ、係止具６ｂの先端に接続された保持具６ａには捕獲部２の駆動源となる駆動ゴム６が取り付けられている。
【００２５】
図６は本発明であるモグラ取り器の設置方法を示した正面図である。図６に示すように、本発明であるモグラ取り器１を設置するには、捕獲部２の針部２ｅを上方に持ち上げ針２ｇが円筒部２ａ内に隠れるようにする。
【００２６】
次に、駆動部３の起立部３ａ上部に形成された貫通孔３ｂに保持糸５ａによって保持されているストッパー５を捕獲部２の円筒部２ａに形成されたスリット２ｂに嵌め込む。ストッパー５は、上部が直角に形成されたカギ状の部材であるので、上部の直角の部分をスリット２ｂに嵌め込み固定する。
【００２７】
すると、円筒部２ａ内部にストッパー５が突出するため、針部２ｅの針支持部２ｄと針２ｇの境界に形成された段差２ｆがストッパー５に引っ掛かり、針部２ｅは円筒部２ａ内に収納されたままで保持される。
【００２８】
針部２ｅが円筒部２ａに収納された状態、即ち、円筒部２ａの上部から針部２ｅの上端２ｃが大きく飛び出した状態で、円筒部２ａに係止具６ｂ及び保持具６ａによって保持されている駆動ゴム６を大きく引き延ばし、針部２ｅ全体を覆うようにして針部２ｅの上端２ｃに引っ掛けることで、本発明であるモグラ取り器１の設置が完了する。
【００２９】
図７は、本発明であるモグラ取り器の駆動構造を示した正面図である。図６に示した設置方法により設置したモグラ取り器１を駆動させるための構造を示した図である。図７に示すように、本発明であるモグラ取り器１を駆動させるためには、先ず図６に示したようにモグラ取り器１を設置する。
【００３０】
設置されたモグラ取り器１は、針部２ｅを覆うようにして針部２ｅの上端２ｃに引っ掛けられている駆動ゴム６が、常に下方向に向かって収縮しようとする力を加えているが、円筒部２ａのスリット２ｂに嵌め込まれたストッパー５によって針部２ｅが円筒部２ａ内で抑えられている。
【００３１】
そこで、駆動部３のＬ型部材３ｇの底面３ｈを矢印Ａに示すように下から上へ押し上げると、Ｌ型部材３ｇが接続されているアーム３ｃ全体が、アーム３ｃを支持脚４ａの正面板４ｂに係止している調節部材３ｉを基点として回動するため、起立部３ａは矢印Ｂに示すように下方向に回動する。
【００３２】
すると、ストッパー５を保持する保持糸５ａは、起立部３ａの上部に形成された貫通孔３ｂに取り付けられているため、起立部３ａが矢印Ｂに示す下方向に回動すると、保持糸５ａも下方向に引っ張られる。
【００３３】
保持糸５ａが下方向に引っ張られることで、矢印Ｃに示したようにストッパー５は円筒部２ａのスリット２ｂから外れ、それにより針部２ｅが円筒部２ａ内で自由になるので、針部２ｅの上端２ｃに引っ掛けられている駆動ゴム６の下方向に収縮しようとする力により、針２ｇが円筒部２ａから勢いよく飛び出す構造である。
【００３４】
図８から図１０は、本発明であるモグラ取り器の使用状態を示した図である。図８は本発明であるモグラ取り器を地中に設置した状態を示す図、図９は本発明であるモグラ取り器に近づいた状態を示す図、図１０は本発明であるモグラ取り器でモグラを捕獲した状態を示す図である。
【００３５】
モグラには、元来から持つ習性として、モグラが自分で掘った巣付近の通路が塞がれると、それを戻そうとして掘る習性がある。本発明であるモグラ取り器は、そのモグラの習性を利用して、モグラが自らモグラ取り器を駆動させる装置である。
【００３６】
図８に示すように、本発明であるモグラ取り器１を地中に設置するには、モグラの通路８ａの上部に捕獲部２が位置するように、モグラの通路８ａの側面に支持部４の支持脚４ａを差し込む。その際に、駆動部３のＬ型部材３ｇで通路８ａの一部を押しつぶすようにして地面８に設置するために、通路８ａ内は押しつぶされた土８ｂによって道が塞がれてしまう。
【００３７】
そのようにして地面８に差し込んだモグラ取り器１を図６に示したように、針部２ｅを上部に引き上げ円筒部２ａ内に収納し、ストッパー５を円筒部２ａのスリット２ｂに嵌め込み針部２ｅを固定させ、駆動ゴム６を針部２ｅの上端２ｃに引っ掛けるようにして、モグラ取り器１の地面８への設置が完了する。
【００３８】
図９に示すように、通路８ａの一部が押しつぶされ、土８ｂによって道が塞がれていることに気付いたモグラ９は、モグラの持つ習性により、通路８ａを元に戻そうとして土８ｂを掘り始める。
【００３９】
図９に示したモグラ９がモグラ取り器１に近づいた時には、捕獲部２の針部２ｅは円筒部２ａ内に収納されているため、モグラ９は針２ｇあるいはモグラ取り器１の存在に気付くことなく、モグラ取り器１の下部に侵入し、通路８ａの潰された土８ｂを掘り続ける。
【００４０】
図１０に示すように、モグラ９がモグラ取り器１下部に侵入し、土８ｂを掘り続けると、モグラ９の頭部が通路８ａの天井近くに設置されていた駆動部３のＬ型部材３ｇの底面３ｈを押し上げ、それにより駆動部３のアーム３ｃが回動することでストッパー５が外れ、駆動ゴム６の力により捕獲部２の円筒部２ａ内から勢いよく針２ｇが飛び出し、モグラ９に逃げる暇を与えずにモグラ９を捕獲することができる。
【実施例２】
【００４１】
図１１から図１５は、本発明であるモグラ取り器の第２実施例を示した図である。図１１は本発明であるモグラ取り器の第２実施例の正面図、図１２は本発明であるモグラ取り器の第２実施例の左側面図、図１３は本発明であるモグラ取り器の第２実施例の右側面図、図１４は本発明であるモグラ取り器の第２実施例の平面図、図１５は本発明であるモグラ取り器の第２実施例の背面図である。
【００４２】
図１１から図１５に示すように、本例でのモグラ取り器１ａは、捕獲部１０、駆動部１１、支持部１２から構成されている。捕獲部１０は支持部１２の右端を構成する突出部１２ｄの右端に設けられ、支持部１２には駆動部１１が調節部材１１ｉによって取り付けられている。
【００４３】
駆動部１１は、図１１及び図１５に示すように、Ｌ字型アーム１１ａとＬ字型アーム１１ａに調節部材１１ｊ及び係止ピン１５を用いてＬ型部材１１ｇが取り付けられている。Ｌ字型アーム１１ａは、左端が上部に突出した起立部１１ｂを形成し、起立部１１ｂの上部には貫通孔１１ｆが形成されている。起立部１１ｂの下部には平坦部１１ｃが連接し、平坦部１１ｃの右端に連接する傾斜部１１ｄは、左方から右方へと進むにつれ正面方向に傾斜しており、傾斜部１１ｄの右端には平坦部１１ｅが連接している。
【００４４】
Ｌ字型アーム１１ａの右端部を構成する平坦部１１ｅには、底面１１ｈが正面方向に突出したＬ型部材１１ｇが、平坦部１１ｅの背面から挿入された係止ピン１５及び調節部材１１ｊにより取り付けられている。平坦部１１ｅとＬ型部材１１ｇは、係止ピン１５に係止リング１１ｋが挿通されているため、密着することなく係止されている。
【００４５】
支持部１２は、正面板１２ｂと左側面板１２ｅとで支持脚１２ａが構成され、正面板１２ｂの上部は右方向に突出した水平板１２ｃを形成している。また水平板１２ｃの右端は上下に突出した突出部１２ｄとなっており、突出部１２ｄの右端には捕獲部１０を構成する円筒部１０ａが溶接され、取り付けられている。
【００４６】
支持脚１２ａの正面板１２ｂには、正面板１２ｂの背面から挿入された係止ピン１５及び調節部材１１ｉによって、駆動部１１が接続されている。係止ピン１５は、正面板１２ｂの背面から正面板１２ｂを挿通し、Ｌ字型アーム１１ａを構成する平坦部１１ｃを挿通し、前面から調節部材１１ｉがねじ込まれ、Ｌ字型アーム１１ａが調節部材１１ｉを基点として回動するように接続されている。
【００４７】
また、Ｌ字型アーム１１ａの起立部１１ｂの上部に形成された貫通孔１１ｆには、ストッパー１３を保持するための保持糸１３ａが取り付けられ、ストッパー１３を保持している。
【００４８】
捕獲部１０は、支持部１２の突出部１２ｄの右端に円筒部１０ａが設けられている。円筒部１０ａの左側面には略長方形状のスリット１０ｂが形成され、円筒部１０ａ内には針支持部１０ｄ及び針１０ｇからなる針部１０ｅが収納されている。針部１０ｅは、針支持部１０ｄと針１０ｇの境界に段差１０ｆが形成されている。
【００４９】
円筒部１０ａの中央に位置する外周面の右方には、係止具１４ｂが取り付けられ、係止具１４ｂの先端に接続された保持具１４ａが駆動ゴム１４を保持している。
【００５０】
本例のモグラ取り器１ａの設置方法は、図６に示した本発明であるモグラ取り器１の設置方法と同様に、針部１０ｅを上部に引き上げ円筒部１０ａから上端１０ｃが突出した状態にし、円筒部１０ａに形成されたスリット１０ｂにストッパー１３を嵌め込むことで円筒部１０ａ内でストッパー１３に針部１０ｅに形成された段差１０ｆを引っ掛けるようにして固定し、駆動ゴム１４を引き延ばし上端１０ｃに引っ掛け設置する。
【００５１】
本例のモグラ取り器１ａの使用方法も図８から図１０に示した本発明であるモグラ取り器１の使用方法と同様で、モグラの通路を潰すようにして地面に設置し、モグラの習性を利用して、モグラ自身が駆動部１１のＬ型部材１１ｇを押し上げることでストッパー１３が外れ、針１０ｇが円筒部１０ａから勢いよく飛び出しモグラを捕獲する。
【実施例３】
【００５２】
図１６から図２０は、本発明であるモグラ取り器の第３実施例を示した図である。図１６は本発明であるモグラ取り器の第３実施例の正面図、図１７は本発明であるモグラ取り器の第３実施例の左側面図、図１８は本発明であるモグラ取り器の第３実施例の右側面図、図１９は本発明であるモグラ取り器の第３実施例の平面図、図２０は本発明であるモグラ取り器の第３実施例の背面図である。
【００５３】
図１６から図２０に示したモグラ取り器１６は、捕獲部１７と駆動部１８と支持部１９から構成されている。捕獲部１７は支持部１９の右端に形成され、駆動部１８は支持部１９に接続し支持されている。
【００５４】
図１６から図２０に示したように、モグラ取り器１６の支持部１９は、駆動部支持部材１９ａと捕獲部支持部材１９ｂが連設され、Ｌ字型に形成されている。前記駆動部支持部材１９ａ及び捕獲部支持部材１９ｂは、アルミ角材製である。勿論、他の素材である。鉄製、ステンレス製であっても良い。
【００５５】
捕獲部支持部材１９ｂの右方には保持具２１ａが取り付けられている。前記保持具２１ａは、捕獲部１７を駆動させる動力源となる駆動ゴム２１を保持している。
【００５６】
支持部１９の捕獲部支持部材１９ｂの右端には、捕獲部１７が形成されている。捕獲部１７は、接続部材１７ａによって中央には針部１７ｄ、左方には針１７ｈ、右方には針１７ｉの３本の針の上端が接続され一体となっている。中央の針部１７ｄは、針支持部材１７ｅと針１７ｆからなり、針支持部材１７ｅと針１７ｆの境界は段差１７ｇが設けられている。
【００５７】
支持部１９の捕獲部支持部材１９ｂから突出して設けられた円筒部１７ｂには左側面にスリット１７ｃが形成されている。前記円筒部１７ｂに接続部材１７ａで一体となった針部１７ｄ、針１７ｈ、１７ｉの３本の針の中央に接続されている針部１７ｄを挿入する。捕獲部支持部材１９ｂの円筒部１７ｂの左右には貫通孔が形成されているため、針部１７ｄを挿入するとともに、針１７ｈ、１７ｉをそれぞれ貫通孔に挿入することで、捕獲部１７を支持部１９へ取り付けることができる。
【００５８】
駆動部１８は、Ｌ字型アーム１８ａとＬ字型アーム１８ａに調節部材１８ｉによって取り付けられたＬ型部材１８ｇからなる。Ｌ字型アーム１８ａは、左端が上部に突出した起立部１８ｂを形成し、起立部１８ｂの上部にはストッパー２０を保持するための保持糸２０ａを接続する貫通孔１８ｆが形成されている。起立部１８ｂの下部には平坦部１８ｃが連接し、平坦部１８ｃの右端に連接する傾斜部１８ｄは左方から右方へと進むにつれ正面方向に傾斜し、傾斜部１８ｄの右端には平坦部１８ｅが連接している。
【００５９】
Ｌ字型アーム１８ａの右端を構成する平坦部１８ｅには、Ｌ型部材１８ｇが調節部材１８ｊにより取り付けられている。前記Ｌ型部材１８ｇは、底面１８ｈが正面方向に突出している。
【００６０】
図１６から図２０に示す、本第３実施例のモグラ取り器１６の設置方法は、図６に示した第１実施例のモグラ取り器１及び第２実施例のモグラ取り器１ａと同様に、接続部材１７ａで接続された針部１７ｄ、針１７ｈ、１７ｉを上部に引き上げ、円筒部１７ｂから突出した状態、即ち捕獲部支持部材１９ｂ内に３本の針１７ｆ、１７ｈ、１７ｉが隠れた状態にし、円筒部１７ｂに形成されたスリット１７ｃにストッパー２０を嵌め込むと、円筒部１７ｂ内でストッパー２０に針部１７ｄに形成された段差１７ｇが引っ掛かり、固定される。その状態で駆動ゴム２１を上方に引き延ばし接続部材１７ａに引っ掛けるようにして、モグラ取り器１６の設置が完了する。
【００６１】
本例のモグラ取り器１６の使用方法も図８から図１０に示した第１実施例のモグラ取り器１及び第２実施例のモグラ取り器１ａと同様、モグラの通路を潰すようにして地面に支持部１９の駆動部支持部材１９ａを差し込み設置し、モグラの習性を利用して、モグラ自身が駆動部１８のＬ型部材１８ｇを押し上げることで、ストッパー２０が外れ、３本の針１７ｆ、１７ｈ、１７ｉが勢いよく飛び出し、モグラを捕獲する。
【図面の簡単な説明】
【００６２】
【図１】本発明であるモグラ取り器の正面図である。
【図２】本発明であるモグラ取り器の左側面図である。
【図３】本発明であるモグラ取り器の右側面図である。
【図４】本発明であるモグラ取り器の平面図である。
【図５】本発明であるモグラ取り器の背面図である。
【図６】本発明であるモグラ取り器の設置方法を示す正面図である。
【図７】本発明であるモグラ取り器の駆動構造を示した正面図である。
【図８】本発明であるモグラ取り器を地中に設置した状態を示す図である。
【図９】本発明であるモグラ取り器にモグラが近づいた状態を示す図である。
【図１０】本発明であるモグラ取り器でモグラを捕獲した状態を示す図である。
【図１１】本発明であるモグラ取り器の第２実施例の正面図である。
【図１２】本発明であるモグラ取り器の第２実施例の左側面図である。
【図１３】本発明であるモグラ取り器の第２実施例の右側面図である。
【図１４】本発明であるモグラ取り器の第２実施例の平面図である。
【図１５】本発明であるモグラ取り器の第２実施例の背面図である。
【図１６】本発明であるモグラ取り器の第３実施例の正面図である。
【図１７】本発明であるモグラ取り器の第３実施例の左側面図である。
【図１８】本発明であるモグラ取り器の第３実施例の右側面図である。
【図１９】本発明であるモグラ取り器の第３実施例の平面図である。
【図２０】本発明であるモグラ取り器の第３実施例の背面図である。
【符号の説明】
【００６３】
１            モグラ取り器
１ａ          モグラ取り器
２            捕獲部
２ａ          円筒部
２ｂ          スリット
２ｃ          上端
２ｄ          針支持部
２ｅ          針部
２ｆ          段差
２ｇ          針
３            駆動部
３ａ          起立部
３ｂ          貫通孔
３ｃ          アーム
３ｄ          平坦部
３ｅ          傾斜部
３ｆ          平坦部
３ｇ          Ｌ型部材
３ｈ          底面
３ｉ          調節部材
３ｊ          調節部材
３ｋ          係止リング
４            支持部
４ａ          支持脚
４ｂ          正面板
４ｃ          第１支持板
４ｄ          第２支持板
４ｅ          貫通孔
４ｆ          支持糸
４ｇ          左側面板
５            ストッパー
５ａ          保持糸
６            駆動ゴム
６ａ          保持具
６ｂ          係止具
７            ボルト
７ａ          ナット
７ｂ          係止ピン
８            地面
８ａ          通路
８ｂ          土
９            モグラ
１０            捕獲部
１０ａ          円筒部
１０ｂ          スリット
１０ｃ          上端
１０ｄ          針支持部
１０ｅ          針部
１０ｆ          段差
１０ｇ          針
１１            駆動部
１１ａ          Ｌ字型アーム
１１ｂ          起立部
１１ｃ          平坦部
１１ｄ          傾斜部
１１ｅ          平坦部
１１ｆ          貫通孔
１１ｇ          Ｌ型部材
１１ｈ          底面
１１ｉ          調節部材
１１ｊ          調節部材
１１ｋ          係止リング
１２            支持部
１２ａ          支持脚
１２ｂ          正面板
１２ｃ          水平板
１２ｄ          突出部
１２ｅ          左側面板
１３            ストッパー
１３ａ          保持糸
１４            駆動ゴム
１４ａ          保持具
１４ｂ          係止具
１５            係止ピン
１６            モグラ取り器
１７            捕獲部
１７ａ          接続部材
１７ｂ          円筒部
１７ｃ          スリット
１７ｄ          針部
１７ｅ          針支持部材
１７ｆ          針
１７ｇ          段差
１７ｈ          針
１７ｉ          針
１８            駆動部
１８ａ          Ｌ字型アーム
１８ｂ          起立部
１８ｃ          平坦部
１８ｄ          傾斜部
１８ｅ          平坦部
１８ｆ          貫通孔
１８ｇ          Ｌ型部材
１８ｈ          底面
１８ｉ、１８ｊ  調節部材
１９            支持部
１９ａ          駆動部支持部材
１９ｂ          捕獲部支持部材
２０            ストッパー
２０ａ          保持糸
２１            駆動ゴム
２１ａ          保持具
【図１】
2005095010.tif 000003
【図２】
2005095010.tif 000004
【図３】
2005095010.tif 000005
【図４】
2005095010.tif 000006
【図５】
2005095010.tif 000007
【図６】
2005095010.tif 000008
【図７】
2005095010.tif 000009
【図８】
2005095010.tif 000010
【図９】
2005095010.tif 000011
【図１０】
2005095010.tif 000012
【図１１】
2005095010.tif 000013
【図１２】
2005095010.tif 000014
【図１３】
2005095010.tif 000015
【図１４】
2005095010.tif 000016
【図１５】
2005095010.tif 000017
【図１６】
2005095010.tif 000018
【図１７】
2005095010.tif 000019
【図１８】
2005095010.tif 000020
【図１９】
2005095010.tif 000021
【図２０】
2005095010.tif 000022